(57)【要約】  【課題】  消耗品の交換作業等に関する管理負担の軽減に寄与することのできる技術を提供する。  【解決手段】  管理対象物である物品に関する所定の管理を行う物品管理システムであって、前記物品の使用開始タイミングに関する情報を取得する使用開始情報取得部と、前記使用開始情報取得部にて使用開始タイミングに関する情報が取得された物品の耐用時間に関する情報を取得する耐用時間情報取得部と、前記使用開始情報取得部にて取得された物品の使用開始タイミングに関する情報および前記耐用時間情報取得部にて取得された該物品の耐用時間に関する情報に基づいて、該物品の交換時期を判定する交換時期判定部とを備えてなる。  【選択図】  図２
2007161408.tif 000002
【特許請求の範囲】
【請求項１】
管理対象物である物品に関する所定の管理を行う物品管理システムであって、
前記物品の使用開始タイミングに関する情報を取得する使用開始情報取得部と、
前記使用開始情報取得部にて使用開始タイミングに関する情報が取得された物品の耐用時間に関する情報を取得する耐用時間情報取得部と、
前記使用開始情報取得部にて取得された物品の使用開始タイミングに関する情報および前記耐用時間情報取得部にて取得された該物品の耐用時間に関する情報に基づいて、該物品の交換時期を判定する交換時期判定部と
を備えてなることを特徴とする物品管理システム。
【請求項２】
請求項１に記載の物品管理システムにおいて、
前記耐用時間情報取得部は、耐用時間の取得対象となる物品について予め設定されている所定の耐用時間を取得することを特徴とする物品管理システム。
【請求項３】
請求項１に記載の物品管理システムにおいて、
前記使用開始情報取得部にて使用開始タイミングに関する情報が取得された物品と同仕様の物品の使用開始から交換までの過去の使用時間に関する履歴情報を取得する使用履歴情報取得部と、
前記使用履歴情報取得部にて取得された履歴情報に基づいて、前記使用開始情報取得部にて使用開始タイミングに関する情報が取得された物品の耐用時間を予測する耐用時間予測部とを備え、
前記耐用時間情報取得部は、前記耐用時間予測部にて予測された耐用時間を、物品の耐用時間に関する情報として取得することを特徴とする物品管理システム。
【請求項４】
請求項３に記載の物品管理システムにおいて、
前記耐用時間情報取得部は、耐用時間の取得対象となる物品について予め設定されている所定の耐用時間および前記耐用時間予測部にて予測された耐用時間を取得するものであり、
前記交換時期判定部は、前記耐用時間情報取得部にて取得された所定の耐用時間および予測された耐用時間の内いずれか短い方を耐用時間に関する情報として採用することを特徴とする物品管理システム。
【請求項５】
請求項１に記載の物品管理システムにおいて、
前記交換時期判定部にて判定された交換時期までの残り時間が所定の閾値よりも短い場合に、該交換時期が判定された物品の交換時期を通知する通知部を有することを特徴とする物品管理システム。
【請求項６】
請求項１に記載の物品管理システムにおいて、
前記交換時期判定部にて交換時期が判定された物品に付された非接触ＩＣタグに対して、前記交換時期判定部にて該物品について判定された交換時期を書込む交換時期書込部を有することを特徴とする物品管理システム。
【請求項７】
請求項１に記載の物品管理システムにおいて、
前記管理対象物である物品が該物品の保管場所から該物品の使用が開始される場所まで搬送される際に通過すべき経路上に配置され、該経路を通過する物品に付された非接触ＩＣタグに書込まれた該物品を識別するための識別情報を読み取る第１の読取部を有し、
使用開始情報取得部は、前記第１の読取部にて前記識別情報を読み取ったタイミングを、該物品の使用開始タイミングに関する情報として取得することを特徴とする物品管理システム。
【請求項８】
請求項１に記載の物品管理システムにおいて、
前記管理対象物である物品に関する情報を取得する物品情報取得部と、
物品に付されるべき非接触ＩＣタグに対して、該物品を識別するための識別情報を書込む識別情報書込部と、
前記識別情報書込部にて非接触ＩＣタグに対して書込まれる識別情報と、該非接触ＩＣタグが付される物品について前記物品情報取得部にて取得された物品に関する情報の少なくとも一部とを対応付ける対応付け部と
を備えてなることを特徴とする物品管理システム。
【請求項９】
請求項８に記載の物品管理システムにおいて、
所定の保管場所にて保管状態にある物品に付された非接触ＩＣタグに書込まれた前記識別情報を取得する識別情報取得部と、
管理対象である物品の在庫状態に関する情報を取得する在庫情報取得部と、
前記識別情報取得部にて取得された前記識別情報と前記在庫情報取得部にて取得された前記在庫情報との整合性の有無について判定する整合性判定部と
を備えてなることを特徴とする物品管理システム。
【請求項１０】
請求項９に記載の物品管理システムにおいて、
前記所定の保管場所近傍に配置され、該保管場所にて保管状態にある物品に付された非接触ＩＣタグに書込まれた情報を読み取り可能な第２の読取部を備え、
前記識別情報取得部は、前記第２の読取部にて読み取られた情報を前記識別情報として取得することを特徴とする物品管理システム。
【請求項１１】
管理対象物である物品に関する所定の管理を行う物品管理方法であって、
前記物品の使用開始タイミングに関する情報を取得する使用開始情報取得ステップと、
前記使用開始情報取得ステップにて使用開始タイミングに関する情報が取得された物品の耐用時間に関する情報を取得する耐用時間情報取得ステップと、
前記使用開始情報取得ステップにて取得された物品の使用開始タイミングに関する情報および前記耐用時間情報取得ステップにて取得された該物品の耐用時間に関する情報に基づいて、該物品の交換時期を判定する交換時期判定ステップと
を備えてなることを特徴とする物品管理方法。
【請求項１２】
請求項１１に記載の物品管理方法において、
前記耐用時間情報取得ステップは、耐用時間の取得対象となる物品について予め設定されている所定の耐用時間を取得することを特徴とする物品管理方法。
【請求項１３】
請求項１１に記載の物品管理方法において、
前記使用開始情報取得ステップにて使用開始タイミングに関する情報が取得された物品と同仕様の物品の使用開始から交換までの過去の使用時間に関する履歴情報を取得する使用履歴情報取得ステップと、
前記使用履歴情報取得ステップにて取得された履歴情報に基づいて、前記使用開始情報取得ステップにて使用開始タイミングに関する情報が取得された物品の耐用時間を予測する耐用時間予測ステップとを備え、
前記耐用時間情報取得ステップは、前記耐用時間予測ステップにて予測された耐用時間を、物品の耐用時間に関する情報として取得することを特徴とする物品管理方法。
【請求項１４】
請求項１３に記載の物品管理方法において、
前記耐用時間情報取得ステップは、耐用時間の取得対象となる物品について予め設定されている所定の耐用時間および前記耐用時間予測ステップにて予測された耐用時間を取得するものであり、
前記交換時期判定ステップは、前記耐用時間情報取得ステップにて取得された所定の耐用時間および予測された耐用時間の内いずれか短い方を耐用時間に関する情報として採用することを特徴とする物品管理方法。
【請求項１５】
請求項１１に記載の物品管理方法において、
前記交換時期判定ステップにて判定された交換時期までの残り時間が所定の閾値よりも短い場合に、該交換時期が判定された物品の交換時期を通知する通知ステップを有することを特徴とする物品管理方法。
【請求項１６】
請求項１１に記載の物品管理方法において、
前記交換時期判定ステップにて交換時期が判定された物品に付された非接触ＩＣタグに対して、前記交換時期判定ステップにて該物品について判定された交換時期を書込む交換時期書込ステップを有することを特徴とする物品管理方法。
【請求項１７】
請求項１１に記載の物品管理方法において、
前記管理対象物である物品に関する情報を取得する物品情報取得ステップと、
物品に付されるべき非接触ＩＣタグに対して、該物品を識別するための識別情報を書込む識別情報書込ステップと、
前記識別情報書込ステップにて非接触ＩＣタグに対して書込まれる識別情報と、該非接触ＩＣタグが付される物品について前記物品情報取得ステップにて取得された物品に関する情報の少なくとも一部とを対応付ける対応付けステップと
を備えてなることを特徴とする物品管理方法。
【請求項１８】
請求項１７に記載の物品管理方法において、
所定の保管場所にて保管状態にある物品に付された非接触ＩＣタグに書込まれた前記識別情報を取得する識別情報取得ステップと、
管理対象である物品の在庫状態に関する情報を取得する在庫情報取得ステップと、
前記識別情報取得ステップにて取得された前記識別情報と前記在庫情報取得ステップにて取得された前記在庫情報との整合性の有無について判定する整合性判定ステップと
を備えてなることを特徴とする物品管理方法。
【請求項１９】
管理対象物である物品に関する所定の管理をコンピュータに実行させる物品管理プログラムであって、
前記物品の使用開始タイミングに関する情報を取得する使用開始情報取得ステップと、
前記使用開始情報取得ステップにて使用開始タイミングに関する情報が取得された物品の耐用時間に関する情報を取得する耐用時間情報取得ステップと、
前記使用開始情報取得ステップにて取得された物品の使用開始タイミングに関する情報および前記耐用時間情報取得ステップにて取得された該物品の耐用時間に関する情報に基づいて、該物品の交換時期を判定する交換時期判定ステップと
をコンピュータに実行させることを特徴とする物品管理プログラム。
【請求項２０】
請求項１９に記載の物品管理プログラムにおいて、
前記耐用時間情報取得ステップは、耐用時間の取得対象となる物品について予め設定されている所定の耐用時間を取得することを特徴とする物品管理プログラム。
【請求項２１】
請求項１９に記載の物品管理プログラムにおいて、
前記使用開始情報取得ステップにて使用開始タイミングに関する情報が取得された物品と同仕様の物品の使用開始から交換までの過去の使用時間に関する履歴情報を取得する使用履歴情報取得ステップと、
前記使用履歴情報取得ステップにて取得された履歴情報に基づいて、前記使用開始情報取得ステップにて使用開始タイミングに関する情報が取得された物品の耐用時間を予測する耐用時間予測ステップとを備え、
前記耐用時間情報取得ステップは、前記耐用時間予測ステップにて予測された耐用時間を、物品の耐用時間に関する情報として取得することを特徴とする物品管理プログラム。
【請求項２２】
請求項２１に記載の物品管理プログラムにおいて、
前記耐用時間情報取得ステップは、耐用時間の取得対象となる物品について予め設定されている所定の耐用時間および前記耐用時間予測ステップにて予測された耐用時間を取得するものであり、
前記交換時期判定ステップは、前記耐用時間情報取得ステップにて取得された所定の耐用時間および予測された耐用時間の内いずれか短い方を耐用時間に関する情報として採用することを特徴とする物品管理プログラム。
【請求項２３】
請求項１９に記載の物品管理プログラムにおいて、
前記交換時期判定ステップにて判定された交換時期までの残り時間が所定の閾値よりも短い場合に、該交換時期が判定された物品の交換時期を通知する通知ステップを有することを特徴とする物品管理プログラム。
【請求項２４】
請求項１９に記載の物品管理プログラムにおいて、
前記交換時期判定ステップにて交換時期が判定された物品に付された非接触ＩＣタグに対して、前記交換時期判定ステップにて該物品について判定された交換時期を書込む交換時期書込ステップを有することを特徴とする物品管理プログラム。
【請求項２５】
請求項１９に記載の物品管理プログラムにおいて、
前記管理対象物である物品に関する情報を取得する物品情報取得ステップと、
物品に付されるべき非接触ＩＣタグに対して、該物品を識別するための識別情報を書込む識別情報書込ステップと、
前記識別情報書込ステップにて非接触ＩＣタグに対して書込まれる識別情報と、該非接触ＩＣタグが付される物品について前記物品情報取得ステップにて取得された物品に関する情報の少なくとも一部とを対応付ける対応付けステップと
を備えてなることを特徴とする物品管理プログラム。
【請求項２６】
請求項２５に記載の物品管理プログラムにおいて、
所定の保管場所にて保管状態にある物品に付された非接触ＩＣタグに書込まれた前記識別情報を取得する識別情報取得ステップと、
管理対象である物品の在庫状態に関する情報を取得する在庫情報取得ステップと、
前記識別情報取得ステップにて取得された前記識別情報と前記在庫情報取得ステップにて取得された前記在庫情報との整合性の有無について判定する整合性判定ステップと
を備えてなることを特徴とする物品管理プログラム。
【発明の詳細な説明】
【技術分野】
【０００１】
本発明は、物品管理システム、物品管理方法および物品管理プログラムに関するものである。
【背景技術】
【０００２】
部品等（例えば、ボルトなど）の消耗品を装置等（例えば、ポンプなど）に組み込む場合、当該部品の消耗の度合いに応じて部品交換を行う必要がある。
【発明の開示】
【発明が解決しようとする課題】
【０００３】
上述のような部品交換作業は、装置等に組み込まれた（使用が開始された）部品の使用開始時期や部品の耐用時間を考慮して行わなければならない。このような、装置に組み込まれた数多くの部品について上述のような管理を行うことは、作業者に大きな負担となっており、作業負担の軽減が望まれている。
本発明は上述した問題点を解決するためになされたものであり、消耗品の交換作業等に関する管理負担の軽減に寄与することのできる技術を提供することを目的とする。
【課題を解決するための手段】
【０００４】
上述した課題を解決するため、本発明に係る物品管理システムは、管理対象物である物品に関する所定の管理を行う物品管理システムであって、前記物品の使用開始タイミングに関する情報を取得する使用開始情報取得部と、前記使用開始情報取得部にて使用開始タイミングに関する情報が取得された物品の耐用時間に関する情報を取得する耐用時間情報取得部と、前記使用開始情報取得部にて取得された物品の使用開始タイミングに関する情報および前記耐用時間情報取得部にて取得された該物品の耐用時間に関する情報に基づいて、該物品の交換時期を判定する交換時期判定部とを備えてなることを特徴とするものである。
【０００５】
また、上述のような構成の物品管理システムにおいて、前記耐用時間情報取得部は、耐用時間の取得対象となる物品について予め設定されている所定の耐用時間を取得することを特徴とするものである。
【０００６】
また、上述のような構成の物品管理システムにおいて、前記使用開始情報取得部にて使用開始タイミングに関する情報が取得された物品と同仕様の物品の使用開始から交換までの過去の使用時間に関する履歴情報を取得する使用履歴情報取得部と、前記使用履歴情報取得部にて取得された履歴情報に基づいて、前記使用開始情報取得部にて使用開始タイミングに関する情報が取得された物品の耐用時間を予測する耐用時間予測部とを備え、前記耐用時間情報取得部は、前記耐用時間予測部にて予測された耐用時間を、物品の耐用時間に関する情報として取得することを特徴とするものである。
【０００７】
また、上述のような構成の物品管理システムにおいて、前記耐用時間情報取得部は、耐用時間の取得対象となる物品について予め設定されている所定の耐用時間および前記耐用時間予測部にて予測された耐用時間を取得するものであり、前記交換時期判定部は、前記耐用時間情報取得部にて取得された所定の耐用時間および予測された耐用時間の内いずれか短い方を耐用時間に関する情報として採用することを特徴とするものである。
【０００８】
また、上述のような構成の物品管理システムにおいて、前記交換時期判定部にて判定された交換時期までの残り時間が所定の閾値よりも短い場合に、該交換時期が判定された物品の交換時期を通知する通知部を有することを特徴とするものである。
【０００９】
また、上述のような構成の物品管理システムにおいて、前記交換時期判定部にて交換時期が判定された物品に付された非接触ＩＣタグに対して、前記交換時期判定部にて該物品について判定された交換時期を書込む交換時期書込部を有することを特徴とするものである。
【００１０】
また、上述のような構成の物品管理システムにおいて、前記管理対象物である物品が該物品の保管場所から該物品の使用が開始される場所まで搬送される際に通過すべき経路上に配置され、該経路を通過する物品に付された非接触ＩＣタグに書込まれた該物品を識別するための識別情報を読み取る第１の読取部を有し、使用開始情報取得部は、前記第１の読取部にて前記識別情報を読み取ったタイミングを、該物品の使用開始タイミングに関する情報として取得することを特徴とするものである。
【００１１】
また、上述のような構成の物品管理システムにおいて、前記管理対象物である物品に関する情報を取得する物品情報取得部と、物品に付されるべき非接触ＩＣタグに対して、該物品を識別するための識別情報を書込む識別情報書込部と、前記識別情報書込部にて非接触ＩＣタグに対して書込まれる識別情報と、該非接触ＩＣタグが付される物品について前記物品情報取得部にて取得された物品に関する情報の少なくとも一部とを対応付ける対応付け部とを備えてなることを特徴とするものである。
【００１２】
また、上述のような構成の物品管理システムにおいて、所定の保管場所にて保管状態にある物品に付された非接触ＩＣタグに書込まれた前記識別情報を取得する識別情報取得部と、管理対象である物品の在庫状態に関する情報を取得する在庫情報取得部と、前記識別情報取得部にて取得された前記識別情報と前記在庫情報取得部にて取得された前記在庫情報との整合性の有無について判定する整合性判定部とを備えてなることを特徴とするものである。
【００１３】
また、上述のような構成の物品管理システムにおいて、前記所定の保管場所近傍に配置され、該保管場所にて保管状態にある物品に付された非接触ＩＣタグに書込まれた情報を読み取り可能な第２の読取部を備え、前記識別情報取得部は、前記第２の読取部にて読み取られた情報を前記識別情報として取得することを特徴とするものである。
【００１４】
また、本発明に係る物品管理方法は、管理対象物である物品に関する所定の管理を行う物品管理方法であって、前記物品の使用開始タイミングに関する情報を取得する使用開始情報取得ステップと、前記使用開始情報取得ステップにて使用開始タイミングに関する情報が取得された物品の耐用時間に関する情報を取得する耐用時間情報取得ステップと、前記使用開始情報取得ステップにて取得された物品の使用開始タイミングに関する情報および前記耐用時間情報取得ステップにて取得された該物品の耐用時間に関する情報に基づいて、該物品の交換時期を判定する交換時期判定ステップとを備えてなることを特徴とするものである。
【００１５】
また、上述のような構成の物品管理方法において、前記耐用時間情報取得ステップは、耐用時間の取得対象となる物品について予め設定されている所定の耐用時間を取得することを特徴とするものである。
【００１６】
また、上述のような構成の物品管理方法において、前記使用開始情報取得ステップにて使用開始タイミングに関する情報が取得された物品と同仕様の物品の使用開始から交換までの過去の使用時間に関する履歴情報を取得する使用履歴情報取得ステップと、前記使用履歴情報取得ステップにて取得された履歴情報に基づいて、前記使用開始情報取得ステップにて使用開始タイミングに関する情報が取得された物品の耐用時間を予測する耐用時間予測ステップとを備え、前記耐用時間情報取得ステップは、前記耐用時間予測ステップにて予測された耐用時間を、物品の耐用時間に関する情報として取得することを特徴とするものである。
【００１７】
また、上述のような構成の物品管理方法において、前記耐用時間情報取得ステップは、耐用時間の取得対象となる物品について予め設定されている所定の耐用時間および前記耐用時間予測ステップにて予測された耐用時間を取得するものであり、前記交換時期判定ステップは、前記耐用時間情報取得ステップにて取得された所定の耐用時間および予測された耐用時間の内いずれか短い方を耐用時間に関する情報として採用することを特徴とするものである。
【００１８】
また、上述のような構成の物品管理方法において、前記交換時期判定ステップにて判定された交換時期までの残り時間が所定の閾値よりも短い場合に、該交換時期が判定された物品の交換時期を通知する通知ステップを有することを特徴とするものである。
【００１９】
また、上述のような構成の物品管理方法において、前記交換時期判定ステップにて交換時期が判定された物品に付された非接触ＩＣタグに対して、前記交換時期判定ステップにて該物品について判定された交換時期を書込む交換時期書込ステップを有することを特徴とするものである。
【００２０】
また、上述のような構成の物品管理方法において、前記管理対象物である物品に関する情報を取得する物品情報取得ステップと、物品に付されるべき非接触ＩＣタグに対して、該物品を識別するための識別情報を書込む識別情報書込ステップと、前記識別情報書込ステップにて非接触ＩＣタグに対して書込まれる識別情報と、該非接触ＩＣタグが付される物品について前記物品情報取得ステップにて取得された物品に関する情報の少なくとも一部とを対応付ける対応付けステップとを備えてなることを特徴とするものである。
【００２１】
また、上述のような構成の物品管理方法において、所定の保管場所にて保管状態にある物品に付された非接触ＩＣタグに書込まれた前記識別情報を取得する識別情報取得ステップと、管理対象である物品の在庫状態に関する情報を取得する在庫情報取得ステップと、前記識別情報取得ステップにて取得された前記識別情報と前記在庫情報取得ステップにて取得された前記在庫情報との整合性の有無について判定する整合性判定ステップとを備えてなることを特徴とするものである。
【００２２】
また、本発明に係る物品管理プログラムは、管理対象物である物品に関する所定の管理をコンピュータに実行させる物品管理プログラムであって、前記物品の使用開始タイミングに関する情報を取得する使用開始情報取得ステップと、前記使用開始情報取得ステップにて使用開始タイミングに関する情報が取得された物品の耐用時間に関する情報を取得する耐用時間情報取得ステップと、前記使用開始情報取得ステップにて取得された物品の使用開始タイミングに関する情報および前記耐用時間情報取得ステップにて取得された該物品の耐用時間に関する情報に基づいて、該物品の交換時期を判定する交換時期判定ステップとをコンピュータに実行させることを特徴とするものである。
【００２３】
また、上述のような構成の物品管理プログラムにおいて、前記耐用時間情報取得ステップは、耐用時間の取得対象となる物品について予め設定されている所定の耐用時間を取得することを特徴とするものである。
【００２４】
また、上述のような構成の物品管理プログラムにおいて、前記使用開始情報取得ステップにて使用開始タイミングに関する情報が取得された物品と同仕様の物品の使用開始から交換までの過去の使用時間に関する履歴情報を取得する使用履歴情報取得ステップと、前記使用履歴情報取得ステップにて取得された履歴情報に基づいて、前記使用開始情報取得ステップにて使用開始タイミングに関する情報が取得された物品の耐用時間を予測する耐用時間予測ステップとを備え、前記耐用時間情報取得ステップは、前記耐用時間予測ステップにて予測された耐用時間を、物品の耐用時間に関する情報として取得することを特徴とするものである。
【００２５】
また、上述のような構成の物品管理プログラムにおいて、前記耐用時間情報取得ステップは、耐用時間の取得対象となる物品について予め設定されている所定の耐用時間および前記耐用時間予測ステップにて予測された耐用時間を取得するものであり、前記交換時期判定ステップは、前記耐用時間情報取得ステップにて取得された所定の耐用時間および予測された耐用時間の内いずれか短い方を耐用時間に関する情報として採用することを特徴とするものである。
【００２６】
また、上述のような構成の物品管理プログラムにおいて、前記交換時期判定ステップにて判定された交換時期までの残り時間が所定の閾値よりも短い場合に、該交換時期が判定された物品の交換時期を通知する通知ステップを有することを特徴とするものである。
【００２７】
また、上述のような構成の物品管理プログラムにおいて、前記交換時期判定ステップにて交換時期が判定された物品に付された非接触ＩＣタグに対して、前記交換時期判定ステップにて該物品について判定された交換時期を書込む交換時期書込ステップを有することを特徴とするものである。
【００２８】
また、上述のような構成の物品管理プログラムにおいて、前記管理対象物である物品に関する情報を取得する物品情報取得ステップと、物品に付されるべき非接触ＩＣタグに対して、該物品を識別するための識別情報を書込む識別情報書込ステップと、前記識別情報書込ステップにて非接触ＩＣタグに対して書込まれる識別情報と、該非接触ＩＣタグが付される物品について前記物品情報取得ステップにて取得された物品に関する情報の少なくとも一部とを対応付ける対応付けステップとを備えてなることを特徴とするものである。
【００２９】
また、上述のような構成の物品管理プログラムにおいて、所定の保管場所にて保管状態にある物品に付された非接触ＩＣタグに書込まれた前記識別情報を取得する識別情報取得ステップと、管理対象である物品の在庫状態に関する情報を取得する在庫情報取得ステップと、前記識別情報取得ステップにて取得された前記識別情報と前記在庫情報取得ステップにて取得された前記在庫情報との整合性の有無について判定する整合性判定ステップとを備えてなることを特徴とするものである。
【発明の効果】
【００３０】
以上に詳述したように本発明によれば、消耗品の交換作業等に関する管理負担の軽減に寄与することのできる技術を提供することができる。
【発明を実施するための最良の形態】
【００３１】
以下、本発明の実施の形態について図面を参照しつつ説明する。図１は本実施の形態による物品管理システムについて説明するためのシステム構成図であり、図２は本実施の形態による物品管理システムについて説明するための機能ブロック図である。
【００３２】
本実施の形態による物品管理システムでは、保管場所である倉庫等への物品の入庫作業、該物品の保管場所からの出庫作業、該物品の交換作業および保管場所に保管されている物品の棚卸作業などに関する管理を行う。
【００３３】
本実施の形態による物品管理システム１は、物品情報取得部１０１、識別情報書込部１０２、対応付け部１０３、第１の読取部１０４、使用開始情報取得部１０５、使用履歴情報取得部１０６、耐用時間予測部１０７、耐用時間情報取得部１０８、交換時期判定部１０９、通知部１１０、交換時期書込部１１１、第２の読取部１１２、識別情報取得部１１３、在庫情報取得部１１４、整合性判定部１１５、ＣＰＵ１１６およびＭＥＭＯＲＹ１１７を備えてなる構成となっている。
【００３４】
ここでは、物品管理システム１における、識別情報書込部１０２、第１の読取部１０４、交換時期書込部１１１および第２の読取部１１２以外の構成部分は、例えばコンピュータＰ１に備えられており（図１参照）、コンピュータＰ１は、識別情報書込部１０２、第１の読取部１０４、交換時期書込部１１１、第２の読取部１１２、コンピュータＰ２、リーダライタ端末Ｈおよびデータベース２と通信可能となっている。また、コンピュータＰ２により実現される設備管理システムが、物品管理システム１にて管理される物品の使用状況（装置等への部品の組み込み状態、組み込まれている期間など）に関する管理を行っている。
【００３５】
なお、ここでは、コンピュータＰ１と、識別情報書込部１０２、第１の読取部１０４、交換時期書込部１１１、第２の読取部１１２、コンピュータＰ２およびデータベース２との間は例えばＬＡＮによって通信可能に接続され、コンピュータＰ１とリーダライタ端末Ｈとは例えば無線通信可能に接続されているものとする。もちろん、結果として各機器間での通信が実現されていればよく、各機器間の接続手段が有線ＬＡＮ、無線ＬＡＮおよびインターネット等の内いずれであるかは問わない。
【００３６】
物品情報取得部１０１は、管理対象物である物品に関する情報を、当該物品の入庫時などのタイミングで、電子化された入庫伝票（電子伝票）等の情報から取得する役割を有している。具体的に、物品情報取得部１０１は、電子伝票の情報等から物品のカタログデータや仕様情報等を取得し、データベース２に格納する。もちろん、上述のような物品に関する情報を図３に示す「物品マスタ情報テーブル」としてデータベース２等に予め格納しておき、物品情報取得部１０１によって取得するようにしてもよい。なお、本実施の形態での物品とは、予備品あるいは消耗品としてストックされる物品を意味しており、完成品および部品の内いずれであってもよい。
【００３７】
入庫される各物品には、非接触ＩＣタグが付される。これら非接触ＩＣタグには、タグプリンタにより「物品管理番号」、「型番」、「名称」、「入庫年月日」などが印刷されている。識別情報書込部１０２は、非接触ＩＣタグに対しての情報の書き込み及び読み取りが可能なリーダライタとしての機能を有しており、入庫時に各物品に付される非接触ＩＣタグに対して、該物品を識別するための「物品管理番号」（識別情報）を書込む役割を有している（図１参照）。
【００３８】
対応付け部１０３は、識別情報書込部１０２にて非接触ＩＣタグに対して書込まれる「物品管理番号」と、該非接触ＩＣタグが付される物品について物品情報取得部１０１にて取得された物品に関する情報の少なくとも一部（例えば、「非接触ＩＣタグ固有ＩＤ」、「メーカコード」、「型番」、「名称」、「分類コード」、「仕様」、「取替周期」、「耐久時間」、「寸法」、「重量」、「入庫年月日」、「製造番号」および「製造年月」など）とを対応付ける役割を有している。「メーカコード」は、製造メーカを識別するためのコードであり、このコードに基づいて図４に示すメーカコードテーブルから製造メーカに関する情報を取得することができる。「分類コード」は、物品の分類について示すコードであり、このコードに基づいて図５に示す物品分類コードテーブルから物品の分類についての詳細情報を取得することができる。これらメーカコードテーブルおよび物品分類コードテーブルはデータベース２に格納されている。対応付け部１０３にて対応付けが行われたデータは、データベース２に図６に示すような在庫管理テーブルとして格納される。このように、電子化された入庫伝票等から入庫される物品の情報を取得することにより、作業者による物品の詳細情報の入力操作の負担を軽減することができる。
【００３９】
上述のようにして、入庫される物品に付されている非接触型ＩＣタグと物品の情報との対応付けが完了すると、当該物品はベルトコンベアやフォークリフト等の搬送手段によって所定の保管場所（所定の棚など）へ向けて搬送される。
【００４０】
第１の読取部１０４は、非接触ＩＣタグに対しての情報の書き込み及び読み取りが可能なリーダライタとしての機能を有しており、上述のようにして所定の保管場所に保管されていた物品（例えばギヤ等）が、当該保管場所から該物品の使用が開始される場所（例えば当該ギヤが組み込まれる装置等）まで搬送される際に通過すべき経路上（例えば物品が保管場所の倉庫から出庫されるときに通過する倉庫出口、装置における物品の取付け部分の近傍など）に配置され、該経路を通過する物品に付された非接触ＩＣタグに書込まれた該物品を識別するための識別情報を読み取る役割を有している。
【００４１】
使用開始情報取得部１０５は、第１の読取部１０４にて物品に付された非接触ＩＣタグの識別情報を読み取ったタイミングを、該物品の使用開始タイミングに関する情報として取得する。もちろん、これに限られるものではなく、使用開始タイミングに関する情報を、設備管理システムからの物品の使用開始の通知、作業者からの物品の取付け完了や稼働開始等の通知等に基づいて取得するようにしてもよい。
【００４２】
使用履歴情報取得部１０６は、使用開始情報取得部１０５にて使用開始タイミングに関する情報が取得された物品と同仕様の物品の使用開始から交換までの過去の使用時間に関する履歴情報（ログ情報）を取得する役割を有している。具体的に、使用履歴情報取得部１０６は、使用開始タイミングに関する情報が取得された物品の型番をデータベース２に格納されている在庫管理テーブルから取得し、当該取得した型番または物品管理番号に基づいて履歴情報を取得する。ここでは、当該履歴情報は図７に示すようなテーブルデータの形式でデータベース２に蓄積されているものとする。同図に示すテーブルでは、「設置年月日」が物品の使用開始から交換までの過去の使用時間に関する履歴情報に相当している。
【００４３】
耐用時間予測部１０７は、使用履歴情報取得部１０６にて取得された履歴情報に基づいて、使用開始情報取得部１０５にて使用開始タイミングに関する情報が取得された物品の耐用時間を予測する役割を有している。なお、ここでの耐用時間の予測は、過去に複数回交換されている物品については、その複数回の実際の使用時間を平均したものを耐用時間とするようにしてもよい。
【００４４】
耐用時間情報取得部１０８は、使用開始情報取得部１０５にて使用開始タイミングに関する情報が取得された物品の耐用時間に関する情報を取得する役割を有している。
【００４５】
ここでは、耐用時間情報取得部１０８は、耐用時間の取得対象となる物品について予め設定されている所定の耐用時間および耐用時間予測部１０７にて予測された耐用時間の内少なくとも一方を、物品の耐用時間に関する情報として取得可能となっている。なお、ここでの所定の耐用時間とは、例えば仕様書やカタログ等に掲載されている使用推奨時間等を意味しており、データベース２に格納されている。
【００４６】
交換時期判定部１０９は、使用開始情報取得部１０５にて取得された物品の使用開始タイミングに関する情報および耐用時間情報取得部１０８にて取得された該物品の耐用時間に関する情報に基づいて、該物品の交換時期を判定する役割を有している。ここでの物品の交換時期の判定は、例えば使用が開始されたタイミングから、履歴情報における当該物品の過去の使用開始から交換までの使用時間分だけ経過したときを、当該物品の交換時期と判定することにより行われる。なお交換時期判定部１０９は、耐用時間情報取得部にて所定の耐用時間および予測された耐用時間の両方を取得した場合、これらの耐用時間の内いずれか短い方を耐用時間に関する情報として採用する。
【００４７】
このように、使用が開始された消耗部品等の物品の交換時期を、当該部品の使用開始時に判定しておくことにより、実際に当該物品の交換が必要となるときに備えた予備品の用意等を行うことができ、当該物品が在庫不足になってしまう事態を回避することができる。また、予め用意されているカタログ等に記載の耐用時間と履歴情報から予測した耐用時間の内短い方を優先的に採用することで、より確実に当該物品の交換時期に備えることが可能となる。
【００４８】
通知部１１０は、例えば液晶ディスプレイやＣＲＴディスプレイ等の画面表示部とスピーカから構成されており、交換時期判定部１０９にて判定された交換時期までの残り時間が所定の閾値よりも短い場合に、該交換時期が判定された物品の交換時期を画面表示や音声によって通知する役割を有している。また、当該通知は、閾値に拘らず交換時期判定部１０９にて判定された交換時期全てを通知することもできる。具体的に、通知部１１０による物品の交換時期の通知方法としては、例えば画面表示、音、光などによる通知が挙げられる。また、交換時期までの残り時間に応じて、画面上での強調表示（例えば表示色、フォント、サイズ、形、表示位置などの変更）、音声の強調、光の明滅等を行わせることにより、交換の緊急度を表現するようにしてもよい。
【００４９】
交換時期書込部１１１は、交換時期判定部１０９にて交換時期が判定された物品に付された非接触ＩＣタグに対して、交換時期判定部１０９にて該物品について判定された交換時期（或いは、使用開始時期と耐用時間といった、交換時期を算出可能とする情報）を書込む役割を有している。本実施の形態では、交換時期書込部１１１は、第１の読取部１０４と兼用されているものとする。このように、実際に装置に組み込まれる等により使用が開始された物品の非接触ＩＣタグに当該物品の交換時期に関する情報を保持させることにより、稼働している装置の近くにいる作業者が手持ちのタグリーダ（例えば、リーダライタ端末Ｈなど）を当該物品近傍にかざすことで、そのタグリーダが外部機器と通信不能な状態であっても、当該物品の交換時期を即座に把握することができる。
【００５０】
この他、非接触ＩＣタグに対して交換時期そのもの（例えば、交換予定年月日）を書込むのでなく、使用開始時期と耐用時間といった、交換時期を算出可能とする情報を書込み、これら書込まれた情報に基づいて、作業者が手持ちのタグリーダ上で交換時期を算出するようにしてもよい。図８は、識別情報書込部１０２および交換時期書込部１１１によって物品に付された非接触ＩＣタグに書き込まれた情報の一例を示す図である。同図では、使用開始時期（設置年月日）と耐用時間（耐久時間）を書込む例を示している。
【００５１】
第２の読取部１１２は、非接触ＩＣタグに対しての情報の書き込み及び読み取りが可能なリーダライタとしての機能を有しており、倉庫内に配置された物品保管用の棚毎（所定の保管場所近傍）に１つずつ配置され、これらの棚にて保管状態にある物品に付された非接触ＩＣタグに書込まれた情報を読み取ることが可能となっている。
【００５２】
識別情報取得部１１３は、物品保管用の棚にて保管状態にある（棚に載置されている）物品に付された非接触ＩＣタグに書込まれた識別情報を取得する役割を有している。ここでは識別情報取得部１１３は、第２の読取部１１２にて読み取られた情報を識別情報として取得する構成となっているが、この他作業者の手持ちのタグリーダ（例えば、リーダライタ端末Ｈなど）を各棚にかざすことによって読み取られた非接触ＩＣタグの情報を識別情報として取得することもできる。
【００５３】
在庫情報取得部１１４は、管理対象である物品の在庫状態に関する情報を取得する役割を有している。
【００５４】
整合性判定部１１５は、識別情報取得部１１３にて取得された識別情報と在庫情報取得部１１４にて取得された在庫情報との整合性の有無について判定する（いわゆる棚卸処理に相当）役割を有している。このように、物品が保管される全ての棚にそれぞれ配置された第２の読取部１１２によって、保管状態にある全ての物品に付された非接触ＩＣタグの情報に基づく棚卸を行うことにより、棚卸作業を従来の手作業の場合に比べて大幅に短い時間で行うことが可能となる。なお、このように物品の保管場所である棚毎にタグリーダを配置する構成は、鍵や機密書類等を管理するような場合に特に有効である。整合性判定部１１５による棚卸処理の結果は、図９に示すような棚卸履歴テーブルの形式でデータベース２に格納される。図１０は、データベース２に格納されている物品マスタテーブル、在庫管理テーブル、棚卸履歴テーブルおよび取替履歴テーブルの対応関係を示す図である。
【００５５】
ＣＰＵ１１６は、物品管理システムにおける各種処理を行う役割を有しており、またＭＥＭＯＲＹ１１７に格納されているプログラムを実行することにより種々の機能を実現する役割も有している。ＭＥＭＯＲＹ１１７は、例えばＲＯＭやＲＡＭ等から構成されており、物品管理システムにおいて利用される種々の情報やプログラムを格納する役割を有している。
【００５６】
本実施の形態による物品管理システムは、上述のような構成により、管理対象物である物品に関する所定の管理を行う。
【００５７】
図１１は、本実施の形態による物品管理システムにおける処理の流れ（物品管理方法）について説明するためのフローチャートである。
【００５８】
まず、物品情報取得部１０１は、管理対象物である物品に関する情報を取得する（物品情報取得ステップ）（Ｓ１０１）。
【００５９】
識別情報書込部１０２は、物品に付されるべき非接触ＩＣタグに対して、該物品を識別するための識別情報を書込む（識別情報書込ステップ）（Ｓ１０２）。
【００６０】
対応付け部１０３は、識別情報書込ステップにて非接触ＩＣタグに対して書込まれる識別情報と、該非接触ＩＣタグが付される物品について物品情報取得ステップにて取得された物品に関する情報の少なくとも一部とを対応付ける（対応付けステップ）（Ｓ１０３）。
【００６１】
続いて、使用開始情報取得部１０５は、物品の使用開始タイミングに関する情報を取得する（使用開始情報取得ステップ）（Ｓ１０４）。
【００６２】
使用履歴情報取得部１０６は、使用開始情報取得ステップにて使用開始タイミングに関する情報が取得された物品と同仕様（例えば、同じ型番）の物品の使用開始から交換までの過去の使用時間に関する履歴情報を取得する（使用履歴情報取得ステップ）（Ｓ１０５）。
【００６３】
耐用時間予測部１０７は、使用履歴情報取得ステップにて取得された履歴情報に基づいて、使用開始情報取得ステップにて使用開始タイミングに関する情報が取得された物品の耐用時間を予測する（耐用時間予測ステップ）（Ｓ１０６）。
【００６４】
耐用時間情報取得部１０８は、使用開始情報取得ステップにて使用開始タイミングに関する情報が取得された物品の耐用時間に関する情報として、耐用時間の取得対象となる物品について予め設定されている所定の耐用時間および耐用時間予測ステップにて予測された耐用時間のうち少なくとも一方を取得する（耐用時間情報取得ステップ）（Ｓ１０７）。
【００６５】
交換時期判定部１０９は、使用開始情報取得ステップにて取得された物品の使用開始タイミングに関する情報および耐用時間情報取得ステップにて取得された該物品の耐用時間に関する情報に基づいて、該物品の交換時期を判定する（交換時期判定ステップ）（Ｓ１０８）。また、交換時期判定ステップでは、耐用時間情報取得ステップにて取得された所定の耐用時間および予測された耐用時間の内いずれか短い方を耐用時間に関する情報として採用する。
【００６６】
交換時期書込部１１１は、交換時期判定ステップにて交換時期が判定された物品に付された非接触ＩＣタグに対して、交換時期判定ステップにて該物品について判定された交換時期を書込む（交換時期書込ステップ）（Ｓ１０９）。
【００６７】
続いて、通知部１１０は、交換時期判定ステップにて判定された交換時期までの残り時間が所定の閾値よりも短い場合に、該交換時期が判定された物品の交換時期を通知する（通知ステップ）（Ｓ１１０）。機器近傍に配置されている第１の読取部１０４は、所定のタイミングで（例えば定期的に）非接触ＩＣタグの読み取りを行う。通知部１１０は、この読み取り時に取得される交換時期の情報に基づいて物品の交換時期の通知を行う。これにより、使用が開始された物品の交換時期を作業者が忘れているような場合でも、通知部１１０からの通知に基づく確実な物品の交換を促すことができ、装置の稼働の安定性や安全性の向上を図ることができる。
【００６８】
図１２は、本実施の形態による物品管理システムにおける棚卸処理の流れ（物品管理方法）について説明するためのフローチャートである。
【００６９】
識別情報取得部１１３は、倉庫における物品保管用の棚（所定の保管場所）にて保管状態にある物品に付された非接触ＩＣタグに書込まれた識別情報を取得する（識別情報取得ステップ）（Ｓ２０１）。
【００７０】
在庫情報取得部１１４は、管理対象である物品の所定の保管場所に保管されているはずの物品のリスト（在庫状態に関する情報）を取得する（在庫情報取得ステップ）（Ｓ２０２）。
【００７１】
整合性判定部１１５は、識別情報取得ステップにて取得された識別情報と在庫情報取得ステップにて取得された在庫情報との整合性の有無について判定（棚卸処理に相当）する（整合性判定ステップ）（Ｓ２０３）。
【００７２】
次に、本実施の形態における、物品を当該物品の使用対象である機器等に対して組み込む際の処理（取替処理）について説明する。
【００７３】
まず、第１の読取部１０４は、使用対象である機器に対して組み込まれる物品に付されている非接触型ＩＣタグに書込まれている「物品管理番号」を読み取る。続いて、非接触型ＩＣタグから読み取った「物品管理番号」に対応付けらている当該物品の詳細情報をデータベース２から取得すると共に、設備管理システム（コンピュータＰ２）と連携して当該物品が組み込まれる機器の「機器番号」および「設置場所」に関する情報を取得する。続いて、第１の読取部１０４を構成するリーダライタにより、当該物品に付された非接触ＩＣタグに対して設置先情報として、「機器番号」、「設置年月日」および「設置場所」を図７に示した取替履歴テーブルに書き込む。そして、当該機器に対して組み込まれる物品の物品管理番号と対応付けられている非接触型ＩＣタグの固有ＩＤを設備管理システム側に登録する。
【００７４】
次に、本実施の形態における、機器等に対して組み込まれていた物品の修理または廃棄を行う際の処理（修理処理または廃棄処理）について説明する。
【００７５】
機器に組み込まれて耐用時間まで使用された物品は、その後修理または廃棄される。修理を行う場合、修理された物品は再び予備品として倉庫に保管されて管理される。まず、第１の読取部１０４は、修理または廃棄の対象となる物品に付された非接触型ＩＣタグの情報を読み取る。そして、当該物品のスペック情報、製造Ｎｏおよび製造年月日等の情報を取得する。当該物品の廃棄を行う場合、当該物品を在庫管理テーブルから削除し、廃棄手続きを行う。一方、当該物品を製造メーカへ返品し修理依頼を行う場合、在庫管理テーブルにて据付ステータスを「修理中」に設定する。修理が完了すると再び予備品として登録し、当該物品に付された非接触型ＩＣタグを読み取ることで予備品として所定の保管場所に保管する。
【００７６】
上述の物品管理システムでの処理における各ステップは、ＭＥＭＯＲＹ１１７に格納されている物品管理プログラムをＣＰＵ１１６に実行させることにより実現されるものである。
【００７７】
本実施の形態では装置内部に発明を実施する機能が予め記録されている場合で説明をしたが、これに限らず同様の機能をネットワークから装置にダウンロードしても良いし、同様の機能を記録媒体に記憶させたものを装置にインストールしてもよい。記録媒体としては、ＣＤ−ＲＯＭ等プログラムを記憶でき、かつ装置が読み取り可能な記録媒体であれば、その形態は何れの形態であっても良い。またこのように予めインストールやダウンロードにより得る機能は装置内部のＯＳ（オペレーティング・システム）等と共働してその機能を実現させるものであってもよい。
【００７８】
なお、物品管理システム１にて、入庫された物品の数と出庫された物品の数とをデータベース２に記憶させておき、現在の在庫数を把握する構成とすることにより、在庫数がその物品について設定されている所定の個数を下回った場合には、通知部１１０により通知するようにすることもできる。図１３は、物品の在庫数と、過去の所定期間内における物品の取替え実績（個数）を示すテーブルの通知部１１０での画面表示例である。同図に示すテーブルでは、「型式」として各物品を製造メーカ識別情報と型番によってグルーピングしており、「在庫数」として各物品の現在の在庫数を表示している。また、「取替実績」の欄には過去の所定期間毎の物品の取替え個数を示し、「取替予想」の欄には将来の所定期間毎の物品の取替え個数の予測値を示している。ここでの予測値は、「取替実績」の数値に基づいて推定される。在庫数が今年度および来年度の取替え予測数を下回る場合、「在庫数」の表示を黄色で表示する。また、在庫数が今年度の取替え予測数を下回る場合には、「在庫数」の表示を赤色で表示する。
【００７９】
頻繁に交換が必要な物品については閾値としての所定の個数を他の物品よりも低めに設定しておくことが好ましい。また、上述の実施の形態では、物品が必要となる場合に通知を行う構成としているが、これに限られるものではなく、上述のように在庫数が所定の個数を下回った物品については、少なくとも所定の個数を越える在庫数となるように、当該物品を自動的に発注するようにすることもできる。
【００８０】
この他、物品が組み込まれる機器を管理する設備管理システム側での当該物品の管理番号が、物品管理システム１にて物品に対して付与する管理番号とは異なる場合、設備管理システム側での当該物品の管理番号と物品管理システム１にて物品に対して付与する管理番号とを対応付けておくことが好ましい。このような対応付けを行うことで、対応関係をテーブルデータとしてデータベース２に格納しておき、設備管理システム側から当該システム特有の管理番号での部品交換要求を受けた場合でも、対応関係のテーブルデータに基づいて、当該管理番号に対応する物品の在庫状況等を把握することが可能となる。
【００８１】
また、上述の実施の形態では、物品に付される非接触ＩＣタグに、「物品管理番号」、「取替周期」、「耐久時間」、「機器番号」および「設置年月日」が書込まれている例を示したが、これに限られるものではなく、例えば物品に付される非接触ＩＣタグに対しては「物品管理番号」のみを書込み、当該物品管理番号に対応する種々のデータは、データベース２に格納しておく構成とすることもできる。この場合、対象となる物品の物品管理番号に対応する詳細情報は、必要に応じてデータベース２から取得される。また、本実施の形態では、非接触ＩＣタグに対して各物品を識別するための物品管理番号を書込む構成としているが、この他、非接触ＩＣタグ自体が有する固有ＩＤに基づいて、各物品を識別するようにすることもできる。
【００８２】
また、本実施の形態では、物品の保管場所である全ての棚それぞれに非接触型ＩＣタグが貼り付けられており、棚に物品が載置された状態で当該物品の非接触ＩＣタグを読み取る際に、当該物品が載置されている棚に付された非接触ＩＣタグも同タイミングで読み取り、これによって当該物品が載置されている棚を識別する構成となっている。これにより、作業者が各物品の保管場所に関する情報を入力する操作を行なわずとも、物品の保管場所をデータベース２に容易に登録することができる。なお、上述のようにして識別された各物品の保管場所を示す情報は、図６に示した在庫管理テーブルに「ロケーション」として格納される。なお、通知部１１０による通知は、物品の交換時期に関するものに限らず、例えば、ある物品の交換時期が迫っている場合に、当該物品と同じ型番の物品が倉庫における棚のどの位置に保管されているかを同時に通知するようにしてもよい。
【００８３】
なお、上述の実施の形態では、物品管理システム１における、識別情報書込部１０２、第１の読取部１０４、交換時期書込部１１１および第２の読取部１１２以外の構成部分が、コンピュータＰ１に備えられている構成を示したが、これに限られるものではなく、システム全体として物品管理システム１の各構成部分が揃っていればよく、各構成部分がどの機器内に配置されるかは問わない。
【００８４】
本発明を特定の態様により詳細に説明したが、本発明の精神および範囲を逸脱しないかぎり、様々な変更および改質がなされ得ることは、当業者には自明であろう。
【図面の簡単な説明】
【００８５】
【図１】本発明の実施の形態による物品管理システムについて説明するためのシステム構成図である。
【図２】本実施の形態による物品管理システムについて説明するための機能ブロック図である。
【図３】物品マスタ情報テーブルの詳細を示す図である。
【図４】メーカコードテーブルの詳細を示す図である。
【図５】物品分類コードテーブルの詳細を示す図である。
【図６】在庫管理テーブルの詳細を示す図である。
【図７】履歴情報テーブルの詳細を示す図である。
【図８】識別情報書込部１０２および交換時期書込部１１１によって物品に付された非接触ＩＣタグに書き込まれた情報の一例を示す図である。
【図９】棚卸履歴テーブルの詳細を示す図である。
【図１０】データベース２に格納されている物品マスタテーブル、在庫管理テーブル、棚卸履歴テーブルおよび取替履歴テーブルの対応関係を示す図である。
【図１１】本実施の形態による物品管理システムにおける処理の流れ（物品管理方法）について説明するためのフローチャートである。
【図１２】本実施の形態による物品管理システムにおける棚卸処理の流れ（物品管理方法）について説明するためのフローチャートである。
【図１３】物品の在庫数と、過去の所定期間内における物品の取替え実績（個数）を示すテーブルの通知部１１０での画面表示例である
【符号の説明】
【００８６】
１  物品管理システム、１０１  物品情報取得部、１０２  識別情報書込部、１０３  対応付け部、１０４  第１の読取部、１０５  使用開始情報取得部、１０６  使用履歴情報取得部、１０７  耐用時間予測部、１０８  耐用時間情報取得部、１０９  交換時期判定部、１１０  通知部、１１１  交換時期書込部、１１２  第２の読取部、１１３  識別情報取得部、１１４  在庫情報取得部、１１５  整合性判定部、１１６  ＣＰＵ、１１７  ＭＥＭＯＲＹ、２  データベース。
【図１】
2007161408.tif 000003
【図２】
2007161408.tif 000004
【図３】
2007161408.tif 000005
【図４】
2007161408.tif 000006
【図５】
2007161408.tif 000007
【図６】
2007161408.tif 000008
【図７】
2007161408.tif 000009
【図８】
2007161408.tif 000010
【図９】
2007161408.tif 000011
【図１０】
2007161408.tif 000012
【図１１】
2007161408.tif 000013
【図１２】
2007161408.tif 000014
【図１３】
2007161408.tif 000015